(57)【要約】【課題】ＣＡＳ部の安定した更新を実現する。【解決手段】放送受信方法は、ＣＡＳ部が、リセット要求をＣＡＳ制御部へ出力するステップと、ＣＡＳ制御部が、ＣＡＳ部からリセット要求を受けて、リセット命令をＣＡＳ部へ出力するステップと、ＣＡＳ部が、ＣＡＳ制御部から受けたリセット命令に対するリセット応答であって時間情報を含むリセット応答をＣＡＳ制御部へ出力するステップと、ＣＡＳ制御部が、ＣＡＳ部からリセット応答を受けて、時間情報に基づく処理待ち時間の経過後、リセット命令をＣＡＳ部へ出力するステップと、ＣＡＳ部が、ＣＡＳ制御部からリセット命令を受けて、自己の状態を示す状態情報をＣＡＳ制御部へ出力するステップと、ＣＡＳ制御部が、ＣＡＳ部から受けた状態情報に基づいて、ＣＡＳ部の状態の更新に関するログ情報を作成するステップとを含む。【選択図】図２
2020039068.tif 000002
【特許請求の範囲】
【請求項１】
番組の情報を含む放送波を受信して復調し、前記番組の情報を含む復調データを生成し、前記復調データに含まれる暗号化された映像データを、鍵を用いて復号する放送受信装置における放送受信方法であって、
前記放送受信装置は、前記復調データに含まれる暗号化された映像データを復号するための鍵を生成するＣＡＳ（Ｃｏｎｄｉｔｉｏｎａｌ  Ａｃｃｅｓｓ  Ｓｙｓｔｅｍ）部と、前記ＣＡＳ部を制御するＣＡＳ制御部とを備え、
前記ＣＡＳ部が、リセット要求を前記ＣＡＳ制御部へ出力するステップと、
前記ＣＡＳ制御部が、前記ＣＡＳ部から前記リセット要求を受けて、リセット命令を前記ＣＡＳ部へ出力するステップと、
前記ＣＡＳ部が、前記ＣＡＳ制御部から受けた前記リセット命令に対するリセット応答であって時間情報を含むリセット応答を前記ＣＡＳ制御部へ出力するステップと、
前記ＣＡＳ制御部が、前記ＣＡＳ部から前記リセット応答を受けて、前記時間情報に基づく処理待ち時間の経過後、リセット命令を前記ＣＡＳ部へ出力するステップと、
前記ＣＡＳ部が、前記ＣＡＳ制御部から前記リセット命令を受けて、自己の状態を示す状態情報を前記ＣＡＳ制御部へ出力するステップと、
前記ＣＡＳ制御部が、前記ＣＡＳ部から受けた前記状態情報に基づいて、前記ＣＡＳ部の状態の更新に関するログ情報を作成するステップとを含む、放送受信方法。
【請求項２】
前記放送受信方法は、さらに、
前記ＣＡＳ制御部が、過去に作成した前記ログ情報に基づいて、今回の前記リセット命令を出力する際の前記処理待ち時間を補正する補正処理を行うステップを含む、請求項１に記載の放送受信方法。
【請求項３】
前記補正処理を行うステップにおいては、前記ＣＡＳ制御部が、前回作成した前記ログ情報が前記状態の不更新を示す場合、前回の前記処理待ち時間を延長した前記処理待ち時間を設定する、請求項２に記載の放送受信方法。
【請求項４】
前記放送受信方法は、さらに、
前記ＣＡＳ制御部が、管理装置から受信した前記処理待ち時間に関する管理情報に少なくとも基づいて、前記リセット命令を出力する際の前記処理待ち時間を決定するステップを含む、請求項１から請求項３のいずれか１項に記載の放送受信方法。
【請求項５】
番組の情報を含む放送波を受信して復調し、前記番組の情報を含む復調データを出力する放送受信部と、
前記復調データに含まれる暗号化された映像データを復号するための鍵を生成するＣＡＳ（Ｃｏｎｄｉｔｉｏｎａｌ  Ａｃｃｅｓｓ  Ｓｙｓｔｅｍ）部と、
前記ＣＡＳ部によって生成された前記鍵を用いて前記映像データを復号する復号化部と、
前記ＣＡＳ部を制御するＣＡＳ制御部とを備え、
前記ＣＡＳ部は、リセット要求を前記ＣＡＳ制御部へ出力し、
前記ＣＡＳ制御部は、前記ＣＡＳ部から前記リセット要求を受けて、リセット命令を前記ＣＡＳ部へ出力し、
前記ＣＡＳ部は、前記ＣＡＳ制御部から受けた前記リセット命令に対するリセット応答であって時間情報を含むリセット応答を前記ＣＡＳ制御部へ出力し、
前記ＣＡＳ制御部は、前記ＣＡＳ部から前記リセット応答を受けて、前記時間情報に基づく処理待ち時間の経過後、リセット命令を前記ＣＡＳ部へ出力し、
前記ＣＡＳ部は、前記ＣＡＳ制御部から前記リセット命令を受けて、自己の状態を示す状態情報を前記ＣＡＳ制御部へ出力し、
前記ＣＡＳ制御部は、前記ＣＡＳ部から受けた前記状態情報に基づいて、前記ＣＡＳ部の状態の更新に関するログ情報を作成する、放送受信装置。
【請求項６】
放送波に含まれる暗号化された映像データを復号するための鍵を生成するＣＡＳ部を備える放送受信装置の管理方法であって、
複数の前記放送受信装置から、リセット命令を前記ＣＡＳ部へ出力する際の処理待ち時間と、前記リセット命令を前記ＣＡＳ部へ出力したことによる前記ＣＡＳ部の状態の更新に関するログ情報との対応関係を示す対応情報を取得するステップと、
取得した各前記対応情報に基づいて、前記処理待ち時間に関する管理情報を作成するステップと、
作成した前記管理情報を１または複数の前記放送受信装置へ送信するステップとを含む、管理方法。
【発明の詳細な説明】
【技術分野】
【０００１】
本発明は、放送受信方法、放送受信装置および管理方法に関する。
【背景技術】
【０００２】
従来、デジタル放送により配信されるコンテンツを管理するためのＣＡＳ（Ｃｏｎｄｉｔｉｏｎａｌ  Ａｃｃｅｓｓ  Ｓｙｓｔｅｍ）に関する技術が開発されている。
【０００３】
たとえば、一般社団法人  電波産業会、”高度広帯域衛星デジタル放送運用規定  ＡＲＩＢ  ＴＲ−Ｂ３９  １．７版  第三分冊”、平成３０年４月１２日（非特許文献１）には、ＣＡＳに用いられるモジュールであるＣＡＳ部のリセットに関する技術が開示されている。すなわち、非特許文献１には、ＣＡＳ部が、ＣＡＳ部の制御を行う制御部に対してリセット要求を出力した場合、制御部から出力されたリセット命令を受けてリセットを行い、ＡＴＲ（Ａｎｓｗｅｒ  ｔｏ  Ｒｅｓｅｔ）を制御部へ出力すること、および、制御部が、ＡＴＲに含まれる処理待ち時間が経過した後に再度ＣＡＳ部に対してリセット命令を出力することが開示されている。
【０００４】
また、たとえば、一般社団法人  電波産業会、”デジタル放送におけるアクセス制御方式（第２世代）及びＣＡＳプログラムのダウンロード方式  ＡＲＩＢ  ＳＴＤ−Ｂ６１  １．４版”、平成３０年４月１２日（非特許文献２）には、制御部およびＣＡＳ部間で送受信されるコマンドの例が開示されている。
【０００５】
また、たとえば、財団法人  日本規格協会、”情報技術  ＩＤカード  接点付きＩＣカード  第３部：電子信号及び伝送プロトコル”、１９９７年１２月１５日（非特許文献３）には、ＣＡＳ部に採用されている通信プロトコルについて開示されている。
【先行技術文献】
【非特許文献】
【０００６】
【非特許文献１】一般社団法人  電波産業会、”高度広帯域衛星デジタル放送運用規定  ＡＲＩＢ  ＴＲ−Ｂ３９  １．７版  第三分冊”、平成３０年４月１２日
【非特許文献２】一般社団法人  電波産業会、”デジタル放送におけるアクセス制御方式（第２世代）及びＣＡＳプログラムのダウンロード方式  ＡＲＩＢ  ＳＴＤ−Ｂ６１  １．４版”、平成３０年４月１２日
【非特許文献３】財団法人  日本規格協会、”情報技術  ＩＤカード  接点付きＩＣカード  第３部：電子信号及び伝送プロトコル”、１９９７年１２月１５日
【発明の概要】
【発明が解決しようとする課題】
【０００７】
たとえば、ＣＡＳ部が、自己のソフトウェアモジュールの更新を行うために、リセット要求を制御部へ出力したとする。この場合、制御部は、ＣＡＳ部から受けたＡＴＲに含まれる処理待ち時間が経過した後にリセット命令をＣＡＳ部へ出力する。
【０００８】
しかしながら、当該処理待ち時間内にＣＡＳ部による更新処理が完了せず、更新処理が失敗する可能性が考えられる。
【０００９】
この発明は、上述の課題を解決するためになされたもので、その目的は、ＣＡＳ部の安定した更新を実現することができる放送受信方法、放送受信装置および管理方法を提供することである。
【課題を解決するための手段】
【００１０】
（１）上記課題を解決するために、この発明のある局面に係わる放送受信方法は、番組の情報を含む放送波を受信して復調し、前記番組の情報を含む復調データを生成し、前記復調データに含まれる暗号化された映像データを、鍵を用いて復号する放送受信装置における放送受信方法であって、前記放送受信装置は、前記復調データに含まれる暗号化された映像データを復号するための鍵を生成するＣＡＳ（Ｃｏｎｄｉｔｉｏｎａｌ  Ａｃｃｅｓｓ  Ｓｙｓｔｅｍ）部と、前記ＣＡＳ部を制御するＣＡＳ制御部とを備え、前記ＣＡＳ部が、リセット要求を前記ＣＡＳ制御部へ出力するステップと、前記ＣＡＳ制御部が、前記ＣＡＳ部から前記リセット要求を受けて、リセット命令を前記ＣＡＳ部へ出力するステップと、前記ＣＡＳ部が、前記ＣＡＳ制御部から受けた前記リセット命令に対するリセット応答であって時間情報を含むリセット応答を前記ＣＡＳ制御部へ出力するステップと、
前記ＣＡＳ制御部が、前記ＣＡＳ部から前記リセット応答を受けて、前記時間情報に基づく処理待ち時間の経過後、リセット命令を前記ＣＡＳ部へ出力するステップと、前記ＣＡＳ部が、前記ＣＡＳ制御部から前記リセット命令を受けて、自己の状態を示す状態情報を前記ＣＡＳ制御部へ出力するステップと、前記ＣＡＳ制御部が、前記ＣＡＳ部から受けた前記状態情報に基づいて、前記ＣＡＳ部の状態の更新に関するログ情報を作成するステップとを含む。
【００１１】
（５）上記課題を解決するために、この発明のある局面に係わる放送受信装置は、番組の情報を含む放送波を受信して復調し、前記番組の情報を含む復調データを出力する放送受信部と、前記復調データに含まれる暗号化された映像データを復号するための鍵を生成するＣＡＳ（Ｃｏｎｄｉｔｉｏｎａｌ  Ａｃｃｅｓｓ  Ｓｙｓｔｅｍ）部と、前記ＣＡＳ部によって生成された前記鍵を用いて前記映像データを復号する復号化部と、前記ＣＡＳ部を制御するＣＡＳ制御部とを備え、前記ＣＡＳ部は、リセット要求を前記ＣＡＳ制御部へ出力し、前記ＣＡＳ制御部は、前記ＣＡＳ部から前記リセット要求を受けて、リセット命令を前記ＣＡＳ部へ出力し、前記ＣＡＳ部は、前記ＣＡＳ制御部から受けた前記リセット命令に対するリセット応答であって時間情報を含むリセット応答を前記ＣＡＳ制御部へ出力し、前記ＣＡＳ制御部は、前記ＣＡＳ部から前記リセット応答を受けて、前記時間情報に基づく処理待ち時間の経過後、リセット命令を前記ＣＡＳ部へ出力し、前記ＣＡＳ部は、前記ＣＡＳ制御部から前記リセット命令を受けて、自己の状態を示す状態情報を前記ＣＡＳ制御部へ出力し、前記ＣＡＳ制御部は、前記ＣＡＳ部から受けた前記状態情報に基づいて、前記ＣＡＳ部の状態の更新に関するログ情報を作成する。
【００１２】
（６）上記課題を解決するために、この発明のある局面に係わる管理方法は、放送波に含まれる暗号化された映像データを復号するための鍵を生成するＣＡＳ部を備える放送受信装置の管理方法であって、複数の前記放送受信装置から、リセット命令を前記ＣＡＳ部へ出力する際の処理待ち時間と、前記リセット命令を前記ＣＡＳ部へ出力したことによる前記ＣＡＳ部の状態の更新に関するログ情報との対応関係を示す対応情報を取得するステップと、取得した各前記対応情報に基づいて、前記処理待ち時間に関する管理情報を作成するステップと、作成した前記管理情報を１または複数の前記放送受信装置へ送信するステップとを含む。
【００１３】
本発明は、このような特徴的な処理部を備える放送受信装置として実現することができるだけでなく、かかる特徴的な処理をコンピュータに実行させるためのプログラムとして実現することができる。また、本発明は、放送受信装置の一部又は全部を実現する半導体集積回路として実現したり、放送受信装置を含む放送受信システムとして実現したりすることができる。
【００１４】
本発明は、このような特徴的な処理をステップとする管理方法として実現することができるだけでなく、かかる特徴的な処理を行う処理部を備える管理装置として実現したり、かかる特徴的な処理をコンピュータに実行させるためのプログラムとして実現したりすることができる。また、本発明は、管理装置の一部又は全部を実現する半導体集積回路として実現したり、管理装置を含む管理システムとして実現したりすることができる。
【発明の効果】
【００１５】
本発明によれば、ＣＡＳ部の安定した更新を実現することができる。
【図面の簡単な説明】
【００１６】
【図１】図１は、本発明の第１の実施の形態に係る放送受信システムの構成を示す図である。
【図２】図２は、本発明の第１の実施の形態に係る放送受信システムにおける放送受信装置の構成を示す図である。
【図３】図３は、本発明の第１の実施の形態に係る放送受信装置におけるＣＡＳ部の状態の更新を行う際の動作手順を定めたシーケンス図である。
【図４】図４は、本発明の第１の実施の形態に係る放送受信装置におけるＣＡＳ制御部の動作手順を定めたフローチャートである。
【図５】図５は、本発明の第２の実施の形態に係る放送受信システムの構成を示す図である。
【図６】図６は、本発明の第２の実施の形態に係る放送受信システムにおける放送受信装置および管理装置の構成を示す図である。
【図７】図７は、本発明の第２の実施の形態に係る放送受信システムにおけるＣＡＳ部の状態の更新を行う際の動作手順を定めたシーケンス図である。
【発明を実施するための形態】
【００１７】
最初に、本発明の実施形態の内容を列記して説明する。
【００１８】
（１）本発明の実施の形態に係る放送受信方法は、番組の情報を含む放送波を受信して復調し、前記番組の情報を含む復調データを生成し、前記復調データに含まれる暗号化された映像データを、鍵を用いて復号する放送受信装置における放送受信方法であって、前記放送受信装置は、前記復調データに含まれる暗号化された映像データを復号するための鍵を生成するＣＡＳ（Ｃｏｎｄｉｔｉｏｎａｌ  Ａｃｃｅｓｓ  Ｓｙｓｔｅｍ）部と、前記ＣＡＳ部を制御するＣＡＳ制御部とを備え、前記ＣＡＳ部が、リセット要求を前記ＣＡＳ制御部へ出力するステップと、前記ＣＡＳ制御部が、前記ＣＡＳ部から前記リセット要求を受けて、リセット命令を前記ＣＡＳ部へ出力するステップと、前記ＣＡＳ部が、前記ＣＡＳ制御部から受けた前記リセット命令に対するリセット応答であって時間情報を含むリセット応答を前記ＣＡＳ制御部へ出力するステップと、前記ＣＡＳ制御部が、前記ＣＡＳ部から前記リセット応答を受けて、前記時間情報に基づく処理待ち時間の経過後、リセット命令を前記ＣＡＳ部へ出力するステップと、前記ＣＡＳ部が、前記ＣＡＳ制御部から前記リセット命令を受けて、自己の状態を示す状態情報を前記ＣＡＳ制御部へ出力するステップと、前記ＣＡＳ制御部が、前記ＣＡＳ部から受けた前記状態情報に基づいて、前記ＣＡＳ部の状態の更新に関するログ情報を作成するステップとを含む。
【００１９】
このように、リセット命令に対するＣＡＳ部の状態の更新に関するログ情報を作成する方法により、ＣＡＳ部から指定される時間情報の良否に関わらず、当該ログ情報を活用してＣＡＳ部のリセット処理を適切に行うことができる。したがって、ＣＡＳ部の安定した更新を実現することができる。
【００２０】
（２）好ましくは、前記放送受信方法は、さらに、前記ＣＡＳ制御部が、過去に作成した前記ログ情報に基づいて、今回の前記リセット命令を出力する際の前記処理待ち時間を補正する補正処理を行うステップを含む。
【００２１】
このように、過去のログ情報に基づいて処理待ち時間を補正する方法により、過去の更新実績に応じた適切な処理待ち時間を設定することができる。
【００２２】
（３）より好ましくは、前記補正処理を行うステップにおいては、前記ＣＡＳ制御部が、前回作成した前記ログ情報が前記状態の不更新を示す場合、前回の前記処理待ち時間を延長した前記処理待ち時間を設定する。
【００２３】
このような方法により、前回の処理待ち時間が短いことが原因でＣＡＳ部の状態が更新されなかった場合、今回の処理待ち時間を延長してＣＡＳ部の状態が更新される可能性を高めることができる。
【００２４】
（４）好ましくは、前記放送受信方法は、さらに、前記ＣＡＳ制御部が、管理装置から受信した前記処理待ち時間に関する管理情報に少なくとも基づいて、前記リセット命令を出力する際の前記処理待ち時間を決定するステップを含む。
【００２５】
このように、複数の放送受信装置を管理する管理装置から受信した管理情報に基づいて処理待ち時間を決定する方法により、たとえば、放送受信装置において、他の放送受信装置におけるリセット処理の結果を反映したリセット処理を行うことができる。
【００２６】
（５）本発明の実施の形態に係る放送受信装置は、番組の情報を含む放送波を受信して復調し、前記番組の情報を含む復調データを出力する放送受信部と、前記復調データに含まれる暗号化された映像データを復号するための鍵を生成するＣＡＳ（Ｃｏｎｄｉｔｉｏｎａｌ  Ａｃｃｅｓｓ  Ｓｙｓｔｅｍ）部と、前記ＣＡＳ部によって生成された前記鍵を用いて前記映像データを復号する復号化部と、前記ＣＡＳ部を制御するＣＡＳ制御部とを備え、前記ＣＡＳ部は、リセット要求を前記ＣＡＳ制御部へ出力し、前記ＣＡＳ制御部は、前記ＣＡＳ部から前記リセット要求を受けて、リセット命令を前記ＣＡＳ部へ出力し、前記ＣＡＳ部は、前記ＣＡＳ制御部から受けた前記リセット命令に対するリセット応答であって時間情報を含むリセット応答を前記ＣＡＳ制御部へ出力し、前記ＣＡＳ制御部は、前記ＣＡＳ部から前記リセット応答を受けて、前記時間情報に基づく処理待ち時間の経過後、リセット命令を前記ＣＡＳ部へ出力し、前記ＣＡＳ部は、前記ＣＡＳ制御部から前記リセット命令を受けて、自己の状態を示す状態情報を前記ＣＡＳ制御部へ出力し、前記ＣＡＳ制御部は、前記ＣＡＳ部から受けた前記状態情報に基づいて、前記ＣＡＳ部の状態の更新に関するログ情報を作成する。
【００２７】
このように、リセット命令に対するＣＡＳ部の状態の更新に関するログ情報を作成する構成により、ＣＡＳ部から指定される時間情報の良否に関わらず、当該ログ情報を活用してＣＡＳ部のリセット処理を適切に行うことができる。したがって、ＣＡＳ部の安定した更新を実現することができる。
【００２８】
（６）本発明の実施の形態に係る管理方法は、放送波に含まれる暗号化された映像データを復号するための鍵を生成するＣＡＳ部を備える放送受信装置の管理方法であって、複数の前記放送受信装置から、リセット命令を前記ＣＡＳ部へ出力する際の処理待ち時間と、前記リセット命令を前記ＣＡＳ部へ出力したことによる前記ＣＡＳ部の状態の更新に関するログ情報との対応関係を示す対応情報を取得するステップと、取得した各前記対応情報に基づいて、前記処理待ち時間に関する管理情報を作成するステップと、作成した前記管理情報を１または複数の前記放送受信装置へ送信するステップとを含む。
【００２９】
このように、各放送受信装置へ処理待ち時間に関する管理情報を送信する方法により、各放送受信装置において、ＣＡＳ部から指定される時間情報の良否に関わらず、当該管理情報を活用してＣＡＳ部のリセット処理を適切に行うことができる。したがって、ＣＡＳ部の安定した更新を実現することができる。
【００３０】
また、管理装置において各放送受信装置から送信された対応情報に基づいて管理情報を作成する方法により、たとえば、放送受信装置において、他の放送受信装置におけるリセット処理の結果を反映したリセット処理を行うことができる。
【００３１】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３２】
＜第１の実施の形態＞
［構成および基本動作］
（放送受信システム）
図１は、本発明の第１の実施の形態に係る放送受信システムの構成を示す図である。
【００３３】
図１を参照して、放送受信システム２０１は、放送受信装置１０１と、放送装置１２１と、表示装置１５１とを備える。放送受信システム２０１は、高度ＢＳ（Ｂｒｏａｄｃａｓｔ  Ｓａｔｅｌｌｉｔｅ）および高度ＣＳ（Ｃｏｍｍｕｎｉｃａｔｉｏｎ  Ｓａｔｅｌｌｉｔｅ）等の高度広帯域衛星デジタル放送を提供する。
【００３４】
放送受信装置１０１には、たとえばアンテナ１４１および表示装置１５１が接続されている。なお、放送受信装置１０１は、アンテナ１４１および表示装置１５１の少なくともいずれか一方を備える構成であってもよい。
【００３５】
図１では、１組の放送受信装置１０１および表示装置１５１を示しているが、放送受信システム２０１は、複数の組の放送受信装置１０１および表示装置１５１を備える構成であってもよい。
【００３６】
放送受信装置１０１は、たとえば、ＳＴＢ（Ｓｅｔ  Ｔｏｐ  Ｂｏｘ）であり、番組の情報が複数のパケットに分割されたストリームを含む放送波ＢＷを受信する。より詳細には、放送受信装置１０１は、たとえば、放送局における放送装置１２１からのストリームを中継するための放送衛星１７３から送信された放送波ＢＷを、アンテナ１４１経由で受信し、表示装置１５１においてコンテンツを再生する。
【００３７】
ストリームは、たとえば、音声情報、映像情報、ＥＰＧ（Ｅｌｅｃｔｒｏｎｉｃ  Ｐｒｏｇｒａｍ  Ｇｕｉｄｅ）情報、字幕情報およびＳＩ情報（Ｓｅｒｖｉｃｅ  Ｉｎｆｏｒｍａｔｉｏｎ）等を含む。
【００３８】
（放送受信装置）
図２は、本発明の第１の実施の形態に係る放送受信システムにおける放送受信装置の構成を示す図である。
【００３９】
図２を参照して、放送受信装置１０１は、放送受信部１１と、処理部１２と、ＣＡＳ部１３と、記憶部１４とを備える。処理部１２は、ＣＡＳ部１３を制御するＣＡＳ制御部２１と、復号化部２２とを含む。
【００４０】
放送受信部１１は、番組の情報を含む放送波ＢＷをアンテナ１４１経由で受信して復調し、当該番組の情報を含む復調データを処理部１２へ出力する。ここでは、放送受信部１１から出力される復調データは、暗号化されたデータを含む。
【００４１】
処理部１２におけるＣＡＳ制御部２１は、放送受信部１１から出力された復調データを受ける。そして、ＣＡＳ制御部２１は、当該復調データに含まれる暗号化されたデータを復号するためのＥＣＭ（Ｅｎｔｉｔｌｅｍｅｎｔ  Ｃｏｎｔｒｏｌ  Ｍｅｓｓａｇｅ）を、放送受信部１１から受けた復調データから抽出する。
【００４２】
ＥＣＭは、番組に関する情報、番組の視聴可否に関する情報、および暗号化されたデータを復号するためのスクランブル鍵Ｋｓなどを含む。そして、ＣＡＳ制御部２１は、抽出したＥＣＭをＣＡＳ部１３へ出力する。ＥＣＭは、ＣＡＳ制御部２１からＣＡＳ部１３へ出力されるコマンドの一例である。
【００４３】
ＣＡＳ部１３は、処理部１２とは異なるＣＰＵ(Ｃｅｎｔｒａｌ  Ｐｒｏｃｅｓｓｉｎｇ  Ｕｎｉｔ)等の半導体集積回路で実現される。ＣＡＳ部１３は、ＣＡＳ制御部２１から出力されたＥＣＭを受けて、スクランブル鍵Ｋｓを生成する。
【００４４】
より詳細には、ＣＡＳ部１３は、自己の保持する、ＣＡＳ部１３に固有のマスタ鍵Ｋｍを用いて、ＣＡＳ制御部２１から受けたＥＣＭに含まれるスクランブル鍵Ｋｓを取得し、取得したスクランブル鍵Ｋｓを含む鍵データをＣＡＳ制御部２１へ出力する。鍵データは、ＣＡＳ制御部２１からのコマンドに対するコマンド応答の一例である。
【００４５】
ＣＡＳ制御部２１は、ＣＡＳ部１３から出力された鍵データを受けて、当該鍵データを復号化部２２へ出力する。
【００４６】
復号化部２２は、ＣＡＳ制御部２１から出力された鍵データを受けて、当該鍵データに含まれるスクランブル鍵Ｋｓを用いて、放送受信部１１から受けた復調データに含まれるデータを復号する。そして、復号化部２２は、復号後のデータを表示装置１５１へ送信することにより、表示装置１５１において番組を再生する。
【００４７】
ＣＡＳ制御部２１は、ＥＣＭのＣＡＳ部１３への出力を定期的または不定期に行う。ＣＡＳ制御部２１から新たに出力されるＥＣＭには、たとえば、更新されたスクランブル鍵Ｋｓが含まれる。
【００４８】
ＣＡＳ部１３は、ＣＡＳ部１３からＥＣＭを受けるたびに、新たに受けたＥＣＭによりスクランブル鍵Ｋｓを生成し、生成したスクランブル鍵Ｋｓを含む鍵データをＣＡＳ制御部２１へ出力する。
【００４９】
また、ＣＡＳ制御部２１は、たとえば自己の放送受信装置１０１の電源がオフからオンに切り替わった場合、ＣＡＳ部１３の状態を示す状態情報をＣＡＳ部１３に要求する。
【００５０】
ＣＡＳ部１３は、ＣＡＳ制御部２１からの状態情報の要求を受けると、状態情報をＣＡＳ制御部２１へ出力する。状態情報は、たとえば、ＣＡＳ部１３に採用されている通信規格を示すシステムＩＤ（Ｉｄｅｎｔｉｆｉｃａｔｉｏｎ）、ＣＡＳ部１３の種別、ＣＡＳ部１３のバージョン、およびＣＡＳ部１３のＩＤ等を含む。
【００５１】
ＣＡＳ制御部２１は、ＣＡＳ部１３から出力された状態情報を受けて、当該状態情報を、記憶部１４に保存されている状態情報ＤＢ（Ｄａｔａ  Ｂａｓｅ）２５に追加する。ＣＡＳ制御部２１は、状態情報ＤＢ２５に状態情報が登録済である場合、当該状態情報を更新する。
【００５２】
また、ＣＡＳ制御部２１は、ＥＣＭとともに、たとえば、ＣＡＳ部１３のソフトウェアモジュールの更新に用いられる更新情報の一部（以下、「断片更新情報」と称する。）をＣＡＳ部１３へ順次出力する。
【００５３】
ＣＡＳ部１３は、たとえば、ＣＡＳ制御部２１から複数の断片更新情報を受けて更新情報の全部を取得すると、リセット要求をＣＡＳ制御部２１へ出力する。
【００５４】
ＣＡＳ制御部２１は、ＣＡＳ部１３から出力されたリセット要求を受けると、自己の放送受信装置１０１の状態を確認する。そして、ＣＡＳ制御部２１は、たとえば、放送受信装置１０１がスタンバイ状態である場合など、放送装置１２１からの放送波ＢＷを処理していない状態において、リセットを指示するリセット命令Ｒ１をＣＡＳ部１３へ出力する。
【００５５】
このように、ＣＡＳ制御部２１が自己の放送受信装置１０１の状態を確認したうえでリセット命令Ｒ１をＣＡＳ部１３へ出力する構成により、番組の再生処理等が中断されることを避けることができる。
【００５６】
ＣＡＳ部１３は、ＣＡＳ制御部２１から出力されたリセット命令Ｒ１を受けると、リセット命令Ｒ１に対するリセット応答であって時間情報を含むＡＴＲ（Ａｎｓｅｒ  Ｔｏ  Ｒｅｓｅｔ）をＣＡＳ制御部２１へ出力する。そして、ＣＡＳ部１３は、ＣＡＳ制御部２１から受けた更新情報を用いて、ソフトウェアモジュールの更新処理を開始する。
【００５７】
ＣＡＳ制御部２１は、ＣＡＳ部１３から出力されたＡＴＲを受けて、当該ＡＴＲに含まれる時間情報に基づく処理待ち時間の経過後、リセットを指示するリセット命令Ｒ２をＣＡＳ部１３へ出力する。
【００５８】
ＣＡＳ部１３は、ＣＡＳ制御部２１から出力されたリセット命令Ｒ２を受けた後、ＣＡＳ制御部２１からの状態情報の要求を受けると、自己の状態を示す状態情報をＣＡＳ制御部２１へ出力し、自己をリセットする。
【００５９】
ここで、ＡＴＲに含まれる時間情報は、ＣＡＳ制御部２１がリセット命令Ｒ２を出力する際の処理待ち時間Ｎを示す。処理待ち時間Ｎは、たとえば規格により定められた時間である。これに対して、ＣＡＳ部１３によるソフトウェアモジュールの更新に要する時間は、ＣＡＳ部１３の個体差などに起因して特定することが困難である。
【００６０】
このため、ＣＡＳ部１３においてＣＡＳ制御部２１からのリセット命令Ｒ２を受けるタイミングにおいて、ＣＡＳ部１３による更新処理が完了していない可能性がある。この場合、ＣＡＳ部１３がリセット命令Ｒ２を受けて自己をリセットしても更新処理は失敗し、ＣＡＳ部１３の状態は不更新となる。そして、この場合、ＣＡＳ部１３は、たとえばＣＡＳ制御部２１からの新たなＥＣＭをトリガとして再度リセット要求をＣＡＳ制御部２１へ出力する。
【００６１】
しかしながら、ＣＡＳ部１３によりリセットが行われている間は番組の再生処理等を行うことができないため、ＣＡＳ部１３によるリセットが行われる回数が抑制されることが望まれる。そこで、ＣＡＳ制御部２１は、ＡＴＲに含まれる時間情報の示す処理待ち時間Ｎを補正する補正処理を行う。
【００６２】
（ＣＡＳ制御部による補正処理）
詳細には、ＣＡＳ制御部２１は、ＣＡＳ部１３から出力された状態情報を受けて、当該状態情報に基づいて、ＣＡＳ部１３の状態の更新に関するログ情報を作成する。
【００６３】
より詳細には、ＣＡＳ制御部２１は、ＣＡＳ部１３から新たに受けた状態情報と、状態情報ＤＢ２５に登録済の状態情報とを比較することにより、ＣＡＳ部１３の状態の判定、すなわちＣＡＳ部１３による更新処理が成功したか否かの判定を行う。
【００６４】
具体的には、ＣＡＳ制御部２１は、たとえば、新たに受けた状態情報の示すシステムＩＤ、種別およびバージョンのうちの少なくともいずれか１つが、それぞれ対応する、状態情報ＤＢ２５に登録済の状態情報の示すシステムＩＤ、種別およびバージョンと異なる場合、ＣＡＳ部１３の状態が更新された、すなわちＣＡＳ部１３による更新処理が成功したと判定する。
【００６５】
一方、ＣＡＳ制御部２１は、たとえば、新たに受けた状態情報の示すシステムＩＤ、種別およびバージョンが、それぞれ対応する、状態情報ＤＢ２５に登録済の状態情報の示すシステムＩＤ、種別およびバージョンと同じである場合、ＣＡＳ部１３の状態が不更新である、すなわちＣＡＳ部１３による更新処理が失敗したと判定する。
【００６６】
そして、ＣＡＳ制御部２１は、判定結果を示すログ情報を、記憶部１４におけるログ情報ＤＢ２６に追加する。
【００６７】
なお、ＣＡＳ制御部２１は、ＣＡＳ部１３の状態の不更新を示すログ情報のみをログ情報ＤＢ２６に追加し、ＣＡＳ部１３の状態が更新された旨のログ情報をログ情報ＤＢ２６に追加しない構成であってもよい。
【００６８】
また、ＣＡＳ部１３から出力される状態情報は、ＣＡＳ部１３のシステムＩＤ等に限らず、たとえば、ＣＡＳ部１３の状態の更新または不更新を示す情報であってもよい。この場合、ＣＡＳ制御部２１は、ＣＡＳ部１３から受けた状態情報の示す内容を判定結果として、当該判定結果を示すログ情報をログ情報ＤＢ２６に追加する。
【００６９】
ＣＡＳ制御部２１は、ログ情報を作成し、作成したログ情報をログ情報ＤＢ２６に登録した状態において、リセット命令Ｒ２をＣＡＳ部１３へ出力する際の処理待ち時間を、過去に作成したログ情報に基づいて補正する補正処理を行う。
【００７０】
（ａ）例１
ここでは、ＣＡＳ制御部２１により前回作成されたログ情報が、ＣＡＳ部１３の状態の不更新を示すとする。この場合、ＣＡＳ制御部２１は、ＣＡＳ部１３から再びリセット要求を受けてリセット命令Ｒ１を送信した後、補正処理において、ＣＡＳ部１３から受けたＡＴＲに含まれる時間情報の示す処理待ち時間Ｎを延長した処理待ち時間を設定する。
【００７１】
具体的には、ＣＡＳ制御部２１は、たとえば、時間情報の示す処理待ち時間Ｎが１０秒である場合、延長時間αを２秒と決定し、処理待ち時間として１２秒を設定する。そして、ＣＡＳ制御部２１は、ＡＴＲを受けたタイミングから１２秒経過したタイミングにおいて、リセット命令Ｒ２をＣＡＳ部１３へ出力する。
【００７２】
（ｂ）例２
ＣＡＳ制御部２１は、ＣＡＳ部１３の状態が不更新であると連続して判定した回数を示すログ情報を、ログ情報ＤＢ２６に登録する構成であってもよい。この場合、ＣＡＳ制御部２１は、ＣＡＳ部１３の状態が不更新であると判定するたびに、ログ情報ＤＢ２６に登録されているログ情報の示すカウント値をインクリメントする。そして、ＣＡＳ制御部２１は、ＣＡＳ部１３の状態が更新されたと判定した場合、ログ情報ＤＢ２６に登録されているログ情報の示すカウント値をゼロに変更する。
【００７３】
この場合、ＣＡＳ制御部２１は、補正処理において、ログ情報の示すカウント値に応じて時間情報の示す処理待ち時間Ｎを延長した処理待ち時間を設定する。
【００７４】
たとえば、ログ情報の示すカウント値が第１閾値以上かつ第２閾値未満である場合、次にリセット命令Ｒ２を出力する際の延長時間αを２秒と決定し、処理待ち時間として１２秒を設定する。
【００７５】
また、ＣＡＳ制御部２１は、たとえば、ログ情報の示すカウント値が第２閾値以上である場合、次にリセット命令Ｒ２を出力する際の延長時間αを４秒と決定し、処理待ち時間として１４秒を設定する。
【００７６】
（ｃ）例３
ＣＡＳ制御部２１は、ＣＡＳ部１３の状態が更新されたと判定した場合における、延長時間αまたは処理待ち時間そのものを示すログ情報をログ情報ＤＢ２６に登録する構成であってもよい。
【００７７】
たとえば、ＣＡＳ部１３の状態が更新されたと判定した場合における延長時間αが２秒であることを示すログ情報がログ情報ＤＢ２６に登録されているとする。この場合、ＣＡＳ制御部２１は、次にリセット命令Ｒ２を出力する際の延長時間αを２秒と決定し、処理待ち時間として１２秒を設定する。
【００７８】
なお、ＣＡＳ制御部２１は、上述した例１〜例３のいずれの場合においても、延長時間αが所定の上限値を超えないように決定する構成であってもよい。たとえば、ＣＡＳ制御部２１は、補正処理において、前回の処理待ち時間を延長した場合に上限値を超える場合、当該上限値を今回の処理待ち時間として設定する。これにより、ＣＡＳ部１３に異常が生じている等の原因によりＣＡＳ部１３の状態が「不更新」である場合において、処理待ち時間が増大することを防ぐことができる。
【００７９】
また、ＣＡＳ制御部２１は、過去に作成したログ情報に基づいて処理待ち時間の補正処理を行う構成に限らず、過去に作成したログ情報をＣＡＳ部１３のリセット処理に関する他の何らかの処理に利用する構成であってもよい。
【００８０】
また、ＣＡＳ制御部２１により作成されたログ情報は、必ずしも放送受信装置１０１において利用されなくてもよい。
【００８１】
［動作の流れ］
放送受信システム２０１における各装置は、メモリを含むコンピュータを備え、当該コンピュータにおけるＣＰＵ等の演算処理部は、以下のシーケンス図およびフローチャートの各ステップの一部または全部を含むプログラムを当該メモリからそれぞれ読み出して実行する。これら複数の装置のプログラムは、それぞれ、外部からインストールすることができる。これら複数の装置のプログラムは、それぞれ、記録媒体に格納された状態で流通する。
【００８２】
（ＣＡＳ制御部およびＣＡＳ部間の情報の送受信）
図３は、本発明の第１の実施の形態に係る放送受信装置におけるＣＡＳ部の状態の更新を行う際の動作手順を定めたシーケンス図である。
【００８３】
ここでは、ＣＡＳ制御部２１は、ＣＡＳ部１３から受けた状態情報を状態情報ＤＢ２５に登録済であるとする。
【００８４】
図２および図３を参照して、まず、ＣＡＳ制御部２１は、放送受信部１１から出力された復調データを受けて、当該復調データからＥＣＭを抽出する（ステップＳ１１）。
【００８５】
次に、ＣＡＳ制御部２１は、抽出したＥＣＭ、および断片更新情報をＣＡＳ部１３へ出力する（ステップＳ１２）。
【００８６】
次に、ＣＡＳ部１３は、ＣＡＳ制御部２１から出力されたＥＣＭおよび断片更新情報を受けて、スクランブル鍵Ｋｓを生成し、生成したスクランブル鍵Ｋｓを含む鍵データを、受信したコマンド、すなわちＥＣＭに対するコマンド応答としてＣＡＳ制御部２１へ出力する（ステップＳ１３）。ＣＡＳ制御部２１およびＣＡＳ部１３は、ステップＳ１１〜ステップＳ１３の動作を定期的または不定期に行う。
【００８７】
次に、ＣＡＳ部１３は、たとえば、ＣＡＳ制御部２１から出力された複数の断片更新情報を受けることにより更新情報の全部を取得すると（ステップＳ１４）、コマンド応答としてリセット要求をＣＡＳ制御部２１へ出力する（ステップＳ１５）。
【００８８】
次に、ＣＡＳ制御部２１は、ＣＡＳ部１３から出力されたリセット要求を受けると、自己の放送受信装置１０１の状態を確認する（ステップＳ１６）。
【００８９】
次に、ＣＡＳ制御部２１は、たとえば、放送受信装置１０１がスタンバイ状態である場合など、放送波ＢＷを処理していない場合、ＣＡＳ部１３へリセット命令Ｒ１を出力する（ステップＳ１７）。
【００９０】
次に、ＣＡＳ部１３は、ＣＡＳ制御部２１から出力されたリセット命令Ｒ１を受けると、リセット命令Ｒ１に対するリセット応答であって時間情報を含むＡＴＲをＣＡＳ制御部２１へ出力する（ステップＳ１８）。
【００９１】
次に、ＣＡＳ部１３は、ＣＡＳ制御部２１から受けた更新情報を用いて、ソフトウェアモジュールの更新処理を開始する（ステップＳ１９）。
【００９２】
次に、ＣＡＳ制御部２１は、ＣＡＳ部１３から出力されたＡＴＲを受けて、当該ＡＴＲに含まれる時間情報に基づいて処理待ち時間を設定する。
【００９３】
より詳細には、ＣＡＳ制御部２１は、ログ情報ＤＢ２６に登録されているログ情報を確認する。そして、ＣＡＳ制御部２１は、たとえば、前回作成したログ情報がＣＡＳ部１３の状態の不更新を示す場合、時間情報の示す処理待ち時間Ｎに延長時間αである２秒を追加した時間を、次にリセット命令Ｒ２を出力する際の処理待ち時間として設定する補正処理を行う。
【００９４】
なお、ＣＡＳ制御部２１は、ログ情報ＤＢ２６にログ情報が登録されていない場合、時間情報の示す処理待ち時間Ｎを、次にリセット命令Ｒ２を出力する際の処理待ち時間として設定する（ステップＳ２０）。
【００９５】
次に、ＣＡＳ制御部２１は、ＡＴＲを受けたタイミングから、設定した処理待ち時間が経過したタイミングにおいて、リセット命令Ｒ２をＣＡＳ部１３へ出力する（ステップＳ２１）。
【００９６】
次に、ＣＡＳ部１３は、ＣＡＳ制御部２１から出力されたリセット命令Ｒ２を受けると、リセット命令Ｒ２に対するリセット応答であるＡＴＲをＣＡＳ制御部２１へ出力する（ステップＳ２２）。
【００９７】
次に、ＣＡＳ制御部２１は、ＣＡＳ部１３から出力されたＡＴＲを受けると、状態情報を要求するための状態要求をＣＡＳ部１３へ出力する（ステップＳ２３）。
【００９８】
次に、ＣＡＳ部１３は、ＣＡＳ制御部２１から出力されたリセット命令Ｒ２を受けた後、ＣＡＳ制御部２１からの状態要求を受けると、自己の状態を示す状態情報をＣＡＳ制御部２１へ出力し（ステップＳ２４）、自己をリセットする。なお、ＣＡＳ部１３は、リセット命令Ｒ２を受けたタイミングにおいて更新処理が完了していない場合、たとえば自己をリセットせず、ＣＡＳ制御部２１から新たにＥＣＭを受けた（ステップＳ１２）後のタイミングにおいて、リセット要求を再びＣＡＳ制御部２１へ出力する（ステップＳ１５）。
【００９９】
次に、ＣＡＳ制御部２１は、ＣＡＳ部１３から出力された状態情報を受けて、当該状態情報および状態情報ＤＢ２５に登録済の状態情報に基づいて、ＣＡＳ部１３の状態を判定する（ステップＳ２５）。
【０１００】
そして、ＣＡＳ制御部２１は、判定結果を示すログ情報を、ログ情報ＤＢ２６に追加する（ステップＳ２６）。
【０１０１】
なお、ＣＡＳ部１３は、ＥＣＭとは異なるコマンドに対するコマンド応答としてリセット要求を出力する構成であってもよい。
【０１０２】
（ＣＡＳ制御部の動作手順）
図４は、本発明の第１の実施の形態に係る放送受信装置におけるＣＡＳ制御部の動作手順を定めたフローチャートである。
【０１０３】
図４を参照して、まず、ＣＡＳ制御部２１は、たとえば自己の放送受信装置１０１の電源がオフからオンに切り替わった場合、状態情報をＣＡＳ部１３に要求し、ＣＡＳ部１３から出力された状態情報を受ける（ステップＳ３１）。
【０１０４】
次に、ＣＡＳ制御部２１は、状態情報ＤＢ２５に登録されている状態情報を、ＣＡＳ部１３から新たに受けた状態情報に更新する（ステップＳ３２）。
【０１０５】
次に、ＣＡＳ制御部２１は、放送受信部１１から出力された復調データを受ける（ステップＳ３３）。
【０１０６】
次に、ＣＡＳ制御部２１は、放送受信部１１から受けた復調データからＥＣＭを抽出し、抽出したＥＣＭ、および断片更新情報をＣＡＳ部１３へ出力する（ステップＳ３４）。ＣＡＳ制御部２１は、ＥＣＭを抽出してＣＡＳ部１３へ出力できるまで（ステップＳ３４において「ＮＯ」）、ＥＣＭの抽出を繰り返す。
【０１０７】
次に、ＣＡＳ制御部２１は、ＥＣＭをＣＡＳ部１３へ出力した場合（ステップＳ３４において「ＹＥＳ」）、たとえば、ＥＣＭをＣＡＳ部１３へ出力したタイミングから所定時間内にＣＡＳ部１３からのリセット要求を受けたか否かを確認する（ステップＳ３５）。
【０１０８】
次に、ＣＡＳ制御部２１は、ＥＣＭをＣＡＳ部１３へ出力したタイミングから所定時間内にＣＡＳ部１３からのリセット要求を受けた場合（ステップＳ３５において「ＮＯ」）、ステップＳ３３〜ステップＳ３５の動作を再び行う。
【０１０９】
一方、ＣＡＳ制御部２１は、ＥＣＭをＣＡＳ部１３へ出力したタイミングから所定時間内にＣＡＳ部１３からのリセット要求を受けた場合（ステップＳ３５において「ＹＥＳ」）、自己の放送受信装置１０１の状態を確認する（ステップＳ３６）。
【０１１０】
次に、ＣＡＳ制御部２１は、たとえば、放送受信装置１０１がスタンバイ状態である場合など、放送波ＢＷを処理していない場合、ＣＡＳ部１３へリセット命令Ｒ１を出力する（ステップＳ３７）。
【０１１１】
次に、ＣＡＳ制御部２１は、ＣＡＳ部１３から出力されたＡＴＲを受ける（ステップＳ３８）。
【０１１２】
次に、ＣＡＳ制御部２１は、ログ情報ＤＢ２６に登録されているログ情報、およびＣＡＳ部１３から受けたＡＴＲに含まれる時間情報に基づいて、次にリセット命令Ｒ２を出力する際の処理待ち時間の補正処理を行う。なお、ＣＡＳ制御部２１は、ログ情報ＤＢ２６にログ情報が登録されていない場合、ＡＴＲに含まれる時間情報の示す処理待ち時間Ｎを、次にリセット命令Ｒ２を出力する際の処理待ち時間として設定する（ステップＳ３９）。
【０１１３】
次に、ＣＡＳ制御部２１は、ＡＴＲを受けたタイミングから、設定した処理待ち時間が経過したタイミングにおいて、リセット命令Ｒ２をＣＡＳ部１３へ出力する（ステップＳ４０）。
【０１１４】
次に、ＣＡＳ制御部２１は、リセット命令Ｒ２に対するリセット応答であるＡＴＲをＣＡＳ部１３から受けると、状態要求をＣＡＳ部１３へ出力し、ＣＡＳ部１３から出力された状態情報を受ける（ステップＳ４１）。
【０１１５】
次に、ＣＡＳ制御部２１は、当該状態情報および状態情報ＤＢ２５に登録済の状態情報に基づいて、ＣＡＳ部１３の状態を判定する（ステップＳ４２）。
【０１１６】
次に、ＣＡＳ制御部２１は、状態情報ＤＢ２５に登録されている状態情報を、ＣＡＳ部１３から新たに受けた状態情報に更新する（ステップＳ４３）。
【０１１７】
次に、ＣＡＳ制御部２１は、ＣＡＳ部１３の状態の判定結果を示すログ情報を、ログ情報ＤＢ２６に追加する（ステップＳ４４）。そして、ＣＡＳ制御部２１は、ステップＳ３３以降の動作を再び行う。
【０１１８】
なお、ＣＡＳ制御部２１は、ステップＳ３５において、たとえばＥＣＭを出力したタイミングから所定時間経過後に、リセット要求の出力の有無をＣＡＳ部１３に対して問い合わせてもよい。
【０１１９】
ところで、たとえば、ＣＡＳ部が、自己のソフトウェアモジュールの更新を行うために、リセット要求を制御部へ出力したとする。この場合、制御部は、ＣＡＳ部から受けたＡＴＲに含まれる処理待ち時間が経過した後にリセット命令をＣＡＳ部へ出力する。
【０１２０】
しかしながら、当該処理待ち時間内にＣＡＳ部による更新処理が完了せず、更新処理が失敗する可能性が考えられる。
【０１２１】
これに対して、本発明の第１の実施の形態に係る放送受信装置１０１における放送受信方法では、まず、ＣＡＳ部１３が、リセット要求をＣＡＳ制御部２１へ出力する。次に、ＣＡＳ制御部２１が、ＣＡＳ部１３からリセット要求を受けて、リセット命令Ｒ１をＣＡＳ部１３へ出力する。次に、ＣＡＳ部１３が、ＣＡＳ制御部２１から受けたリセット命令Ｒ１に対するリセット応答であって時間情報を含むリセット応答をＣＡＳ制御部２１へ出力する。次に、ＣＡＳ制御部２１が、ＣＡＳ部１３からリセット応答を受けて、時間情報に基づく処理待ち時間の経過後、リセット命令Ｒ２をＣＡＳ部１３へ出力する。次に、ＣＡＳ部１３が、ＣＡＳ制御部２１からリセット命令Ｒ２を受けて、自己の状態を示す状態情報をＣＡＳ制御部２１へ出力する。次に、ＣＡＳ制御部２１が、ＣＡＳ部１３から受けた状態情報に基づいて、ＣＡＳ部１３の状態の更新に関するログ情報を作成する。
【０１２２】
このように、リセット命令Ｒ２に対するＣＡＳ部１３の状態の更新に関するログ情報を作成する方法により、ＣＡＳ部１３から指定される時間情報の良否に関わらず、当該ログ情報を活用してＣＡＳ部１３のリセット処理を適切に行うことができる。
【０１２３】
したがって、本発明の第１の実施の形態に係る放送受信方法では、ＣＡＳ部１３の安定した更新を実現することができる。
【０１２４】
また、本発明の第１の実施の形態に係る放送受信装置１０１における放送受信方法では、さらに、ＣＡＳ制御部２１が、過去に作成したログ情報に基づいて、今回のリセット命令Ｒ２を出力する際の処理待ち時間を補正する補正処理を行う。
【０１２５】
このように、過去のログ情報に基づいて処理待ち時間を補正する方法により、過去の更新実績に応じた適切な処理待ち時間を設定することができる。
【０１２６】
また、本発明の第１の実施の形態に係る放送受信装置１０１における放送受信方法では、ＣＡＳ制御部２１が、処理待ち時間の補正処理を行うステップにおいて、前回作成したログ情報がＣＡＳ部１３の状態の不更新を示す場合、前回の処理待ち時間を延長した処理待ち時間を設定する。
【０１２７】
このような方法により、前回の処理待ち時間が短いことが原因でＣＡＳ部１３の状態が更新されなかった場合、今回の処理待ち時間を延長してＣＡＳ部１３の状態が更新される可能性を高めることができる。
【０１２８】
また、本発明の第１の実施の形態に係る放送受信装置１０１では、放送受信部１１は、番組の情報を含む放送波ＢＷを受信して復調し、当該番組の情報を含む復調データを出力する。ＣＡＳ部１３は、復調データに含まれる暗号化された映像データを復号するための鍵を生成する。復号化部２２は、ＣＡＳ部１３によって生成された鍵を用いて映像データを復号する。ＣＡＳ制御部２１は、ＣＡＳ部１３を制御する。また、ＣＡＳ部１３は、リセット要求をＣＡＳ制御部２１へ出力する。ＣＡＳ制御部２１は、ＣＡＳ部１３からリセット要求を受けて、リセット命令Ｒ１をＣＡＳ部１３へ出力する。ＣＡＳ部１３は、ＣＡＳ制御部２１から受けたリセット命令Ｒ１に対するリセット応答であって時間情報を含むリセット応答をＣＡＳ制御部２１へ出力する。ＣＡＳ制御部２１は、ＣＡＳ部１３からリセット応答を受けて、時間情報に基づく処理待ち時間の経過後、リセット命令Ｒ２をＣＡＳ部１３へ出力する。ＣＡＳ部１３は、ＣＡＳ制御部２１からリセット命令Ｒ２を受けて、自己の状態を示す状態情報をＣＡＳ制御部２１へ出力する。そして、ＣＡＳ制御部２１は、ＣＡＳ部１３から受けた状態情報に基づいて、ＣＡＳ部１３の状態の更新に関するログ情報を作成する。
【０１２９】
このように、リセット命令Ｒ２に対するＣＡＳ部１３の状態の更新に関するログ情報を作成する構成により、ＣＡＳ部１３から指定される時間情報の良否に関わらず、当該ログ情報を活用してＣＡＳ部１３のリセット処理を適切に行うことができる。
【０１３０】
したがって、本発明の第１の実施の形態に係る放送受信装置１０１では、ＣＡＳ部１３の安定した更新を実現することができる。
【０１３１】
次に、本発明の他の実施の形態について図面を用いて説明する。なお、図中同一または相当部分には同一符号を付してその説明は繰り返さない。
【０１３２】
＜第２の実施の形態＞
上述した本発明の第１の実施の形態では、ＣＡＳ制御部２１は、自己の放送受信装置１０１における記憶部１４に保存されているログ情報、およびＣＡＳ部１３から受けたＡＴＲに含まれる時間情報に基づいて、リセット命令Ｒ２を出力する際の処理待ち時間を決定する。これに対して、本発明の第２の実施の形態では、ＣＡＳ制御部４１は、複数の放送受信装置１０２を管理する管理装置１７１から送信された管理情報に基づいて、リセット命令Ｒ２を出力する際の処理待ち時間を決定する。
【０１３３】
［構成および基本動作］
図５は、本発明の第２の実施の形態に係る放送受信システムの構成を示す図である。
【０１３４】
図５を参照して、放送受信システム２０２は、複数の放送受信装置１０２と、放送装置１２１と、複数の放送受信装置１０２にそれぞれ対応する複数の表示装置１５１と、管理装置１７１とを備える。
【０１３５】
図６は、本発明の第２の実施の形態に係る放送受信システムにおける放送受信装置および管理装置の構成を示す図である。図６では、放送受信システム２０２における１つの放送受信装置１０２を代表的に示している。
【０１３６】
図６を参照して、本発明の第２の実施の形態に係る放送受信装置１０２は、放送受信部３１と、処理部３２と、ＣＡＳ部３３と、記憶部３４と、通信部３５とを備える。処理部３２は、ＣＡＳ部３３を制御するＣＡＳ制御部４１と、復号化部４２とを含む。
【０１３７】
放送受信部３１、復号化部４２およびＣＡＳ部３３の動作は、それぞれ、図２に示す本発明の第１の実施の形態に係る放送受信装置１０１における、放送受信部１１、復号化部２２およびＣＡＳ部１３の動作と同様である。
【０１３８】
ＣＡＳ制御部４１は、ＣＡＳ部３３へリセット命令Ｒ１を出力した後、ＣＡＳ部３３から出力されたＡＴＲを受けると、記憶部３４に保存されている設定情報ＤＢ４５に登録されている後述の管理情報に基づいて、リセット命令Ｒ２をＣＡＳ部３３へ出力する際の処理待ち時間を決定する。たとえば、ＣＡＳ制御部４１は、処理待ち時間の補正処理として、当該ＡＴＲに含まれる時間情報の示す処理待ち時間Ｎに、管理情報の示す延長時間αを加えた時間を処理待ち時間として設定する。
【０１３９】
そして、ＣＡＳ制御部４１は、ＡＴＲを受けたタイミングから、設定した処理待ち時間が経過したタイミングにおいて、リセット命令Ｒ２をＣＡＳ部３３へ出力する。
【０１４０】
また、ＣＡＳ制御部４１は、リセット命令Ｒ２をＣＡＳ部３３へ出力したことによるＣＡＳ部３３の状態の更新に関するログ情報を取得する。すなわち、ＣＡＳ制御部４１は、リセット命令Ｒ２をＣＡＳ部３３へ出力した後、ＣＡＳ部３３から出力されたＡＴＲを受けると、状態要求をＣＡＳ部３３へ出力する。そして、ＣＡＳ制御部４１は、ＣＡＳ部３３から出力される状態情報を受けて、当該状態情報、および記憶部３４に保存されている状態情報ＤＢ４６に登録されている状態情報に基づいて、ＣＡＳ部３３の状態の判定を行う。
【０１４１】
そして、ＣＡＳ制御部４１は、判定結果を示すログ情報と、当該リセット命令Ｒ２を出力する際の処理待ち時間とを対応づけた対応情報を、記憶部３４に保存されているログ情報ＤＢ４７に登録する。なお、ＣＡＳ制御部４１は、ＣＡＳ部３３の状態の不更新を示すログ情報と処理待ち時間との対応関係を示す対応情報のみをログ情報ＤＢ４７に登録してもよい。
【０１４２】
また、ＣＡＳ制御部４１は、ログ情報と処理待ち時間とを対応づけた対応情報の代わりに、ログ情報と処理待ち時間の延長時間αとを対応づけた対応情報をログ情報ＤＢ４７に登録してもよい。
【０１４３】
通信部３５は、たとえば、定期的または不定期に、ログ情報ＤＢ４７に登録されている対応情報に自己の放送受信装置１０２の識別情報を含めて、管理装置１７１へ送信する。
【０１４４】
管理装置１７１は、通信部５１と、処理部５３とを備える。通信部５１は、たとえば、複数の放送受信装置１０２からそれぞれ送信された複数の対応情報を受信し、受信した複数の対応情報を処理部５３へ出力する。
【０１４５】
処理部５３は、通信部５１から出力された複数の対応情報を受けて、各対応情報に基づいて、たとえば定期的または不定期に、各放送受信装置１０２におけるＣＡＳ制御部４１がリセット命令Ｒ２を出力する際の処理待ち時間に関する管理情報を作成する。
【０１４６】
より詳細には、処理部５３は、複数の対応情報の各々の示す処理待ち時間とログ情報の示す判定結果とに基づいて、各放送受信装置１０２におけるＣＡＳ制御部４１が次にリセット命令Ｒ２を出力する際の処理待ち時間の延長時間αまたは処理待ち時間そのものを決定する。
【０１４７】
具体的には、処理部５３は、たとえば、通信部５１から受けた複数の対応情報のうち、ＣＡＳ部３３の状態が更新された旨のログ情報を含む１または複数の対応情報を特定する。そして、処理部５３は、特定した１または複数の対応情報の各々の示す処理待ち時間の平均値を、処理待ち時間として決定する。そして、処理部５３は、決定した処理待ち時間を示す管理情報を通信部５１へ出力する。
【０１４８】
なお、処理部５３は、上述した方法に限らず、他の方法を用いて管理情報を作成してもよい。たとえば、処理部５３は、通信部５１から受けた複数の対応情報に基づいて、ＣＡＳ部３３の状態が更新された割合が５０％を超えるか否かを判定し、当該割合が５０％を超えている延長時間αのうち、最小値を示す管理情報を作成してもよい。
【０１４９】
通信部５１は、処理部５３から出力された管理情報を受けて、当該管理情報を複数の放送受信装置１０２へ送信する。
【０１５０】
放送受信装置１０２における通信部３５は、管理装置１７１から送信された管理情報を受信し、受信した管理情報を設定情報ＤＢ４５に登録する。
【０１５１】
ＣＡＳ制御部４１は、上述のとおり、設定情報ＤＢ４５に登録された管理情報に基づいて、リセット命令Ｒ２を出力する際の処理待ち時間の補正処理を行い、補正処理後の処理待ち時間の経過後にリセット命令Ｒ２を出力する。
【０１５２】
そして、ＣＡＳ制御部４１は、リセット命令Ｒ２をＣＡＳ部３３へ出力した後、ＣＡＳ部３３から出力されたＡＴＲを受けると、状態要求をＣＡＳ部３３へ出力し、ＣＡＳ部３３から出力される状態情報に基づいてＣＡＳ部３３の状態の判定を行う。そして、ＣＡＳ制御部４１は、判定結果を示すログ情報と、当該リセット命令Ｒ２を出力する際の処理待ち時間とを対応づけた対応情報をログ情報ＤＢ４７に登録する。
【０１５３】
通信部３５は、たとえば、ログ情報ＤＢ４７に新たに登録された対応情報に自己の放送受信装置１０２の識別情報を含めて、管理装置１７１へ送信する。
【０１５４】
また、ＣＡＳ制御部４１は、リセット命令Ｒ２の出力後におけるＣＡＳ部３３の状態の判定において、ＣＡＳ部３３の状態が更新されていないと判定したとする。この場合、ＣＡＳ制御部４１は、たとえば、ＣＡＳ部３３からの新たなＡＴＲを受けた後、設定情報ＤＢ４５に登録されている最新の管理情報に基づいて、次にリセット命令Ｒ２をＣＡＳ部３３へ出力する際の処理待ち時間の補正処理を行う。
【０１５５】
なお、ＣＡＳ制御部４１は、ＣＡＳ部３３の状態が更新されていないと判定した場合、管理情報を用いることなく、上述した本発明の第１の実施の形態に係るＣＡＳ制御部２１と同様に、次にリセット命令Ｒ２を出力する際の処理待ち時間の補正処理を行ってもよい。
【０１５６】
具体的には、ＣＡＳ制御部４１は、前回のリセット命令Ｒ２を出力した際の処理待ち時間が１２秒であり、当該リセット命令Ｒ２の出力後におけるＣＡＳ部３３の状態の判定において、ＣＡＳ部３３の状態が更新されていないと判定したとする。この場合、ＣＡＳ制御部４１は、たとえば、次にリセット命令Ｒ２を出力する際の処理待ち時間を２秒延長した１４秒に決定する。
【０１５７】
なお、管理装置１７１における処理部５３は、通信部５１を介して複数の放送受信装置１０２へ管理情報を送信する構成に限らず、通信部５１を介して１つの放送受信装置１０２へ管理情報を送信する構成であってもよい。
【０１５８】
また、処理部５３は、対応情報に基づいて管理者等により作成された管理情報を、通信部５１を介して放送受信装置１０２へ送信してもよい。
【０１５９】
また、放送受信装置１０２は、ログ情報ＤＢ４７を含まない構成であってもよい。この場合、ＣＡＳ制御部４１は、対応情報を通信部３５へ直接出力して管理装置１７１へ送信する。
【０１６０】
［動作の流れ］
放送受信システム２０２における各装置は、メモリを含むコンピュータを備え、当該コンピュータにおけるＣＰＵ等の演算処理部は、以下のシーケンス図およびフローチャートの各ステップの一部または全部を含むプログラムを当該メモリからそれぞれ読み出して実行する。これら複数の装置のプログラムは、それぞれ、外部からインストールすることができる。これら複数の装置のプログラムは、それぞれ、記録媒体に格納された状態で流通する。
【０１６１】
図７は、本発明の第２の実施の形態に係る放送受信システムにおけるＣＡＳ部の状態の更新を行う際の動作手順を定めたシーケンス図である。図７は、放送受信システム２０２における１つの放送受信装置１０２および管理装置１７１の動作の流れを示す。
【０１６２】
図７に示すステップＳ５１〜ステップＳ５９の動作は、図３に示すステップＳ１１〜ステップＳ１９の動作と同様であるため、ここでは詳細な説明は繰り返さない。
【０１６３】
次に、ＣＡＳ制御部４１は、設定情報ＤＢ４５に管理情報が登録されている場合、当該管理情報およびＣＡＳ部３３から受けたＡＴＲに含まれる時間情報に基づいて、リセット命令Ｒ２を出力する際の処理待ち時間の補正処理を行う。
【０１６４】
なお、ＣＡＳ制御部４１は、設定情報ＤＢ４５に管理情報が登録されていない場合、たとえば、ＣＡＳ部３３から受けたＡＴＲに含まれる時間情報の示す処理待ち時間Ｎを、リセット命令Ｒ２を出力する際の処理待ち時間として設定する（ステップＳ６０）。
【０１６５】
次に、ＣＡＳ制御部４１は、ＡＴＲを受けたタイミングから、設定した処理待ち時間が経過したタイミングにおいて、リセット命令Ｒ２をＣＡＳ部３３へ出力する（ステップＳ６１）。
【０１６６】
次に、ＣＡＳ部３３は、ＣＡＳ制御部４１から出力されたリセット命令Ｒ２を受けると、リセット命令Ｒ２に対するリセット応答であるＡＴＲをＣＡＳ制御部４１へ出力する（ステップＳ６２）。
【０１６７】
次に、ＣＡＳ制御部４１は、ＣＡＳ部３３から出力されたＡＴＲを受けると、状態要求をＣＡＳ部３３へ出力する（ステップＳ６３）。
【０１６８】
次に、ＣＡＳ部３３は、ＣＡＳ制御部４１から出力されたリセット命令Ｒ２を受けた後、ＣＡＳ制御部４１からの状態要求を受けると、自己の状態を示す状態情報をＣＡＳ制御部４１へ出力し（ステップＳ６４）、自己をリセットする。
【０１６９】
次に、ＣＡＳ制御部４１は、ＣＡＳ部３３から出力された状態情報を受けて、当該状態情報および状態情報ＤＢ４６に登録済の状態情報に基づいて、ＣＡＳ部１３の状態を判定する（ステップＳ６５）。
【０１７０】
次に、ＣＡＳ制御部４１は、判定結果を示すログ情報、およびステップＳ６０において設定した処理待ち時間とを対応づけた対応情報を、ログ情報ＤＢ４７に追加する（ステップＳ６６）。
【０１７１】
次に、通信部３５は、ログ情報ＤＢ４７に登録されている対応情報を取得する（ステップＳ６７）。
【０１７２】
次に、通信部３５は、取得した対応情報に自己の放送受信装置１０２の識別情報を含めて、管理装置１７１へ送信する（ステップＳ６８）。
【０１７３】
次に、管理装置１７１における通信部５１は、放送受信装置１０２から送信された対応情報を受信し、受信した対応情報を処理部５３へ出力する（ステップＳ６９）。
【０１７４】
ここで、図７では示していないが、図６に示す各放送受信装置１０２が、管理装置１７１へ対応情報を送信する。このため、管理装置１７１における通信部５１は、複数の放送受信装置１０２からそれぞれ送信される複数の対応情報を受信し、受信した複数の対応情報を処理部５３へ出力する。
【０１７５】
次に、処理部５３は、通信部５１から受けた各対応情報に基づいて、ＣＡＳ制御部４１がリセット命令Ｒ２を出力する際の処理待ち時間に関する管理情報を作成し、作成した管理情報を通信部５１へ出力する（ステップＳ７０）。
【０１７６】
次に、通信部５１は、処理部５３から出力された管理情報を受けて、当該管理情報を１または複数の放送受信装置１０２へ送信する（ステップＳ７１）。
【０１７７】
次に、放送受信装置１０２における通信部３５は、管理装置１７１から送信された管理情報を受信し、受信した管理情報を設定情報ＤＢ４５に登録する（ステップＳ７２）。
【０１７８】
上記のように、本発明の第２の実施の形態に係る放送受信装置１０２における放送受信方法では、ＣＡＳ制御部４１が、管理装置１７１から受信した処理待ち時間に関する管理情報に少なくとも基づいて、リセット命令Ｒ２を出力する際の処理待ち時間を決定する。
【０１７９】
このように、複数の放送受信装置１０２を管理する管理装置１７１から受信した管理情報に基づいて処理待ち時間を決定する方法により、たとえば、放送受信装置１０２において、他の放送受信装置１０２におけるリセット処理の結果を反映したリセット処理を行うことができる。
【０１８０】
また、本発明の第２の実施の形態に係る放送受信装置１０２の管理方法では、まず、管理装置１７１における通信部５１が、複数の放送受信装置１０２から、リセット命令Ｒ２をＣＡＳ部３３へ出力する際の処理待ち時間と、リセット命令Ｒ２をＣＡＳ部３３へ出力したことによるＣＡＳ部３３の状態の更新に関するログ情報との対応関係を示す対応情報を取得する。次に、管理装置１７１における処理部５３が、通信部５１により取得された各対応情報に基づいて、処理待ち時間に関する管理情報を作成する。次に、管理装置１７１における通信部５１が、処理部５３により作成された管理情報を１または複数の放送受信装置１０２へ送信する。
【０１８１】
このように、各放送受信装置１０２へ処理待ち時間に関する管理情報を送信する方法により、各放送受信装置１０２において、ＣＡＳ部３３から指定される時間情報の良否に関わらず、当該管理情報を活用してＣＡＳ部３３のリセット処理を適切に行うことができる。
【０１８２】
したがって、本発明の第２の実施の形態に係る管理方法では、ＣＡＳ部３３の安定した更新を実現することができる。
【０１８３】
また、管理装置１７１において各放送受信装置１０２から送信された対応情報に基づいて管理情報を作成する方法により、たとえば、放送受信装置１０２において、他の放送受信装置１０２におけるリセット処理の結果を反映したリセット処理を行うことができる。
【０１８４】
その他の構成および動作は、上述した本発明の第１の実施の形態に係る放送受信システム２０１と同様であるため、ここでは詳細な説明を繰り返さない。
【０１８５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１８６】
以上の説明は、以下に付記する特徴を含む。
［付記１］
番組の情報を含む放送波を受信して復調し、前記番組の情報を含む復調データを出力する放送受信部と、
前記復調データに含まれる暗号化された映像データを復号するための鍵を生成するＣＡＳ（Ｃｏｎｄｉｔｉｏｎａｌ  Ａｃｃｅｓｓ  Ｓｙｓｔｅｍ）部と、
前記ＣＡＳ部によって生成された前記鍵を用いて前記映像データを復号する復号化部と、
前記ＣＡＳ部を制御するＣＡＳ制御部とを備え、
前記ＣＡＳ部は、リセット要求を前記ＣＡＳ制御部へ出力し、
前記ＣＡＳ制御部は、前記ＣＡＳ部から前記リセット要求を受けて、リセット命令を前記ＣＡＳ部へ出力し、
前記ＣＡＳ部は、前記ＣＡＳ制御部から受けた前記リセット命令に対するリセット応答であって時間情報を含むリセット応答を前記ＣＡＳ制御部へ出力し、
前記ＣＡＳ制御部は、前記ＣＡＳ部から前記リセット応答を受けて、前記時間情報に基づく処理待ち時間の経過後、リセット命令を前記ＣＡＳ部へ出力し、
前記ＣＡＳ部は、前記ＣＡＳ制御部から前記リセット命令を受けて、自己の状態を示す状態情報を前記ＣＡＳ制御部へ出力し、
前記ＣＡＳ制御部は、前記ＣＡＳ部から受けた前記状態情報に基づいて、前記ＣＡＳ部の状態の更新に関するログ情報を作成し、
前記ＣＡＳ制御部は、前記補正処理において、前記状態情報が前記ＣＡＳ部の状態の不更新を示した回数に応じて前記時間情報の示す時間を延長した前記処理待ち時間を設定する、放送受信装置。
【０１８７】
［付記２］
番組の情報を含む放送波を受信して復調し、前記番組の情報を含む復調データを出力する放送受信部と、
前記復調データに含まれる暗号化された映像データを復号するための鍵を生成するＣＡＳ（Ｃｏｎｄｉｔｉｏｎａｌ  Ａｃｃｅｓｓ  Ｓｙｓｔｅｍ）部と、
前記ＣＡＳ部によって生成された前記鍵を用いて前記映像データを復号する復号化部と、
前記ＣＡＳ部を制御するＣＡＳ制御部とを備え、
前記ＣＡＳ部は、リセット要求を前記ＣＡＳ制御部へ出力し、
前記ＣＡＳ制御部は、前記ＣＡＳ部から前記リセット要求を受けて、リセット命令を前記ＣＡＳ部へ出力し、
前記ＣＡＳ部は、前記ＣＡＳ制御部から受けた前記リセット命令に対するリセット応答であって時間情報を含むリセット応答を前記ＣＡＳ制御部へ出力し、
前記ＣＡＳ制御部は、前記ＣＡＳ部から前記リセット応答を受けて、前記時間情報に基づく処理待ち時間の経過後、リセット命令を前記ＣＡＳ部へ出力し、
前記ＣＡＳ部は、前記ＣＡＳ制御部から前記リセット命令を受けて、自己の状態を示す状態情報を前記ＣＡＳ制御部へ出力し、
前記ＣＡＳ制御部は、前記ＣＡＳ部から受けた前記状態情報に基づいて、前記ＣＡＳ部の状態の更新に関するログ情報を作成し、
前記ＣＡＳ制御部は、前記補正処理において、前回の前記処理待ち時間を延長した場合に上限値を超える場合、前記上限値を今回の前記処理待ち時間として設定する、放送受信装置。
【符号の説明】
【０１８８】
１１，３１  放送受信部
１２，３２  処理部
１３，３３  ＣＡＳ部
１４，３４  記憶部
２１，４２  ＣＡＳ制御部
２２，４２  復号化部
２５，４６  状態情報ＤＢ
２６，４７  ログ情報ＤＢ
３５  通信部
４５  設定情報ＤＢ
５１  通信部
５３  処理部
１０１，１０２  放送受信装置
１２１  放送装置
１４１  アンテナ
１５１  表示装置
１７１  管理装置
１７３  放送衛星
２０１，２０２  放送受信システム
【図１】
2020039068.tif 000003
【図２】
2020039068.tif 000004
【図３】
2020039068.tif 000005
【図４】
2020039068.tif 000006
【図５】
2020039068.tif 000007
【図６】
2020039068.tif 000008
【図７】
2020039068.tif 000009